(57)【要約】【課題】スタンバイ電源無しで外部機器によって電源がオン／オフされるスレーブモードおよびスレーブモードの電源回路をオン／オフするマスタモードを備えた電源回路を提供する。【解決手段】スタンバイ回路である制御部１６に電源を供給するサブトランス１４にモード切換スイッチ１３を設ける。制御部１６にリレー駆動電圧を外部出力するトリガ出力端子１７を設け、且つ、電源リレー１２に外部からリレー駆動電圧を入力するトリガ入力端子１８を設ける。モード切換スイッチ１３をオンすると制御部１６が常時動作し、電源オンコマンドに応じて自装置の電源リレー１２をオンするとともにトリガ出力端子１７からリレー駆動電圧を出力して他装置もオンする（マスタモード）。モード切換スイッチ１３をオフすると制御部１６が動作せずトリガ入力端子１８から入力されるリレー駆動電圧により（他装置の制御によって）電源がオンされる（スレーブモード）。【選択図】  図２
2010154711.tif 000002
【特許請求の範囲】
【請求項１】
電源と負荷回路との間に挿入された電源リレーと、
外部機器から電源オンコマンドが受信されたとき電源リレー駆動電圧を発生し、この電源リレー駆動電圧を前記電源リレーに供給する制御部と、
前記電源リレー駆動電圧を更に外部に出力する電源出力端子と、
前記制御部と電源との接続をオン／オフするモード切換スイッチと、
前記電源リレーを駆動する電源リレー駆動電圧を外部から入力するための電源入力端子と、
を備えた電源回路。
【請求項２】
前記電源入力端子と並列に、該電源入力端子から入力された電圧を外部に出力するスルー端子を備えた請求項１に記載の電源回路。
【請求項３】
前記電源入力端子と前記電源リレーとの間に、外部トリガ制御部をさらに備え、
前記制御部は、前記電源入力端子に電源リレー駆動電圧が入力され且つ所定の条件が満たされたとき、トリガ禁止信号を前記外部トリガ制御部に対して出力し、
前記外部トリガ制御部は、前記トリガ禁止信号が入力されたとき、前記電源入力端子と前記電源リレーとの電気的接続を、前記電源リレー駆動電圧が停止するまで遮断する
ことを特徴とする請求項１または請求項２に記載の電源回路。
【請求項４】
請求項１乃至請求項３のいずれかに記載の電源回路を複数台用い、そのうちの少なくとも１台のモード切換スイッチをオンしてマスタ電源回路とし、他の電源回路のモード切換スイッチをオフしてスレーブ電源回路とし、
前記マスタ電源回路の電源出力端子と、前記スレーブ電源回路の電源入力端子とを電気的に接続した電源システム。
【請求項５】
前記スレーブ電源回路の少なくとも１つを請求項２に記載の電源回路で構成し、該スレーブ電源回路のスルー端子に他のスレーブ電源回路の電源入力端子を接続したことを特徴とする請求項４に記載の電源システム。
【発明の詳細な説明】
【技術分野】
【０００１】
この発明は、外部機器により電源がオン／オフされ、または、外部機器の電源を併せてオン／オフする電源回路および電源システムに関する。
【背景技術】
【０００２】
従来の電源回路を図１（Ａ）、（Ｂ）に示す。同図（Ａ）は最も古典的な回路構成である。この電源回路は電源プラグ１１０と電源トランス（メイントランス）１１３との間に電源スイッチ１１２を有する構成であり、電源スイッチ１１３の手動操作によって電源トランス１１３の一次側への電源供給がオン／オフされる。
【０００３】
一方、同図（Ｂ）は、特許文献１等に記載の構成であり、赤外線リモコン等の外部機器により電源をオン／オフできる構成を備えたものである。電源プラグ１２０とメイントランス１２６との間には電源リレー１２３のリレー接点（ＮＯ接点）１２３Ａが挿入されている。外部機器による操作で電源をオン／オフするためのスタンバイ回路としてサブトランス１２４、制御部１２５、リレー１２３を有している。サブトランスは直接電源プラグ１２０に接続されており、電源プラグ１２０がコンセントに差し込まれているとき常時通電している。したがってサブトランス１２４の二次側に接続されている制御部１２５は常時動作しており、赤外線リモコン装置などの外部機器からのコマンドを受信できる状態になっている。制御部１２５は、外部機器から電源オンのコマンドを受信すると、リレー１２３のリレーコイル１２３Ｂに電流を流し、リレー接点１２３Ａをオンする。これにより、メイントランス１２６に電流が流れ、メイントランス１２６の二次側に接続されている負荷回路が動作する。
【０００４】
【特許文献１】特開２０００−１９７２６８号公報
【発明の開示】
【発明が解決しようとする課題】
【０００５】
しかし、上記図１（Ａ）の電源回路を内蔵した機器は、外部機器による電源オン／オフができないため、所望のときに機器を使用したい場合には電源スイッチ１１２を入れたままにしておかなければならず、電力の消費が膨大である。また、上記図１（Ｂ）の電源回路も、サブトランス１２４によって制御部１２５が常時オンしているためいわゆるスタンバイ電力を消費するという問題点があり、また、このスタンバイ回路としてサブトランス１２４、電源リレー１２３、制御部１２５等が余計に必要になるという問題点があった。
【０００６】
この発明は、スタンバイ電源無しで外部機器によって電源がオン／オフされるスレーブモードおよびスレーブモードの電源回路をオン／オフするマスタモードを備えた電源回路、および、このような電源回路を複数接続した電源システムを提供することを目的とする。
【課題を解決するための手段】
【０００７】
請求項１の発明は、電源と負荷回路との間に挿入された電源リレーと、外部機器から電源オンコマンドを受信したとき電源リレー駆動電圧を発生し、この電源リレー駆動電圧を前記電源リレーに供給する制御部と、前記電源リレー駆動電圧を更に外部に出力する電源出力端子と、前記制御部と電源との接続をオン／オフするモード切換スイッチと、前記電源リレーを駆動する電源リレー駆動電圧を外部から入力するための電源入力端子と、を備えたことを特徴とする。
【０００８】
この発明の電源回路において、モード切換スイッチをオンすると制御部が動作し、外部機器からの電源オンコマンドに対応してリレー駆動電圧を発生する。このリレー駆動電圧が自装置の電源リレーをオンするとともに、電源出力端子から外部に出力される。この動作モードをマスタモードと呼ぶ。
【０００９】
モード切換スイッチがオフされると動作部は動作せず、自装置のみでは電源リレーをオンできなくなる。この動作モードをスレーブモードと呼ぶ。スレーブモードの電源回路の電源入力端子に上記マスタモードの他の電源回路の電源出力端子を接続する。これにより、マスタモードの電源回路（マスタ電源回路）がオンしたとき、すなわち制御部がリレー駆動電圧を発生したとき、このリレー駆動電圧が電源出力端子−電源入力端子を介してスレーブモードの電源回路（スレーブ電源回路）の電源リレーを駆動する。これにより、マスタ電源回路の制御部のみで、マスタ電源回路を含む複数の電源回路をオンすることができる。なおこの発明では電源オンのみに言及しているが、電源オフについても同様である。
【００１０】
請求項２の発明は、上記発明において、前記電源入力端子と並列に、該電源入力端子から入力された電圧を外部に出力するスルー端子を備えたことを特徴とする。
【００１１】
スルー端子は電源入力端子から入力された電圧をそのまま外部に出力する。電源入力端子にリレー駆動電圧が入力されているスレーブ電源回路のスルー端子に、他のスレーブ電源回路の電源入力端子を接続することにより、この他のスレーブ電源回路をマスタ電源回路に直接接続したのと同じ動作をさせることができる。これにより、電源回路のデイジーチェーン接続が可能になる。
【００１２】
請求項３の発明は、前記電源入力端子と前記電源リレーとの間に、外部トリガ制御部をさらに備え、前記制御部は、前記電源入力端子に電源リレー駆動電圧が入力され且つ所定の条件が満たされたとき、トリガ禁止信号を前記外部トリガ制御部に対して出力し、前記外部トリガ制御部は、前記トリガ禁止信号が入力されたとき、前記電源入力端子と前記電源リレーとの電気的接続を、前記電源リレー駆動電圧が停止するまで遮断することを特徴とする。
【００１３】
この構成により、スレーブモードで動作している機器であっても、装置の動作に異常が発生した場合等に、マスク機器の機能に依らず自装置の制御部の機能で電源をオフすることができる。
【００１４】
請求項３の発明は、請求項１または請求項２に記載の電源回路を複数台用い、そのうちの少なくとも１台のモード切換スイッチをオンしてマスタ電源回路とし、他の電源回路のモード切換スイッチをオフしてスレーブ電源回路とし、前記マスタ電源回路の電源出力端子と、前記スレーブ電源回路の電源入力端子とを電気的に接続したことを特徴とする。
【００１５】
請求項４の発明は、上記発明において、前記スレーブ電源回路の少なくとも１つを請求項２に記載の電源回路で構成し、該スレーブ電源回路のスルー端子に他のスレーブ電源回路の電源入力端子を接続したことを特徴とする。
【発明の効果】
【００１６】
この発明の電源回路は、制御部が動作し電源リレー駆動電圧を発生するマスタモードと、電源入力端子を介して外部からリレー駆動電圧の供給を受けるスレーブモードとを切り換えることができるため、複数の電源回路をマスタモードとスレーブモードで組み合わせることにより、１つの制御部で複数の電源回路を連動してオン／オフすることが可能になる。
【発明を実施するための最良の形態】
【００１７】
図面を参照してこの発明の実施形態について説明する。
図２はこの発明の実施形態である電源回路を示す図である。この電源回路は、たとえばオーディオアンプ、ＦＭチューナ、ＤＶＤプレーヤなど複数の機器を組み合わせて使用されるいわゆるコンポーネントの電子機器のそれぞれに内蔵される電源回路である。
【００１８】
電源回路は、電源コンセントから商用電源を取り込むプラグ１０を備えている。プラグ１０の一方（ホット側）はヒューズ１１、電源リレーである一次リレー１２（リレー接点１２Ａ）を介してメイントランス１５に接続されるとともに、ヒューズ１１、モード切換スイッチ１３を介してサブトランス１４に接続されている。プラグ１０の他方（接地側）はメイントランス１５およびサブトランス１４に直接接続されている。
【００１９】
一次リレー１２は、リレー接点１２Ａおよびリレーコイル１２Ｂからなっている。リレー接点１２Ａは常開接点であり、リレーコイル１２Ｂに電流が流れないときオフ（開）しており、リレーコイル１２Ｂに電流が流れたときのみオン（閉）する。一次リレー１２（リレー接点１２Ａ）がオンすることにより、メイントランス１５に商用電源が供給され、メイントランス１５の二次側に整流回路２２を介して接続されている負荷回路に電力が供給される。
【００２０】
モード切換スイッチ１３は、マスタモードとスレーブモードを切り換えるスイッチである。マスタモードとは外部から入力される電源オンコマンドによって自ら電源（一次リレー１２）をオン／オフし、さらに他の電源回路もオン／オフするモードであり、スレーブモードとは他の電源回路から供給されるリレー駆動電圧により電源がオン／オフ制御されるモードである。モード切換スイッチ１３がオンされるとマスターモードとなり、モード切換スイッチ１３がオフされるとスレーブモードとなる。
【００２１】
マスタモードではサブトランス１４が常時通電され、サブトランス１４の二次側にせい整流回路２３を介して接続されている制御部１６が常に動作している。また、スレーブモードではサブトランス１４に電流が流れないため、制御部１６は動作しない。
【００２２】
制御部１６は、一次リレーを駆動するためのリレー駆動電源回路、赤外線リモコンからの電源オン／オフコマンド等を含む各種コマンドを受信するリモコン受光部等を有している。制御部１６は、赤外線リモコン装置から電源オンコマンドを受信したときリレー駆動電源回路を動作させてリレー駆動電圧を発生する。リレー駆動電源回路は、複数の一次リレーを同時に駆動する電流容量を有する回路である。制御部１６の電圧出力端子は、リレーコイル１２Ｂに接続されているとともに、トリガ出力端子（Ｐｏｗｅｒ  Ｔｒｉｇｇｅｒ  Ｏｕｔ）１７に接続されている。一次リレー１２は、制御部１６からリレー駆動電圧が供給されることによりオンし、リレー接点１２Ａを閉じる。
【００２３】
また、リレーコイル１２Ｂに並列にトリガ入力端子（Ｐｏｗｅｒ  Ｔｒｉｇｇｅｒ  Ｉｎ）１８およびトリガスルー端子（Ｐｏｗｅｒ  Ｔｒｉｇｇｅｒ  Ｔｈｒｏｕｇｈ）１９が接続されている。トリガ入力端子１８は、他の電源回路からリレー駆動電圧を入力するための端子であり、トリガスルー端子１９は、トリガ入力端子１８から入力されたリレー駆動電圧をさらに他の電源回路に出力するための端子である。トリガ入力端子１８からリレー駆動電圧が供給された場合も、内部の制御部１６からリレー駆動電圧が供給された場合と同様に一次リレー１２がオンしてリレー接点１２Ａを閉じる。
【００２４】
なお、制御部１６は、電源オン／オフコマンド以外に、負荷回路を制御するコマンドを受信するが、このようなコマンドを受信したとき、制御部１６は、そのコマンドに対応した制御を負荷回路に対して行う。また、制御部１６は、装置（特に負荷回路）の動作を監視しており、動作に異常（たとえば過電流や温度の異常上昇など）が発生したとき、リレーコイル１２Ｂに対するリレー駆動電圧の供給を停止し、異常な状態での動作を停止させる。
【００２５】
なお、制御部１６の＋端子からリレーコイル１２Ｂの＋端子に至る経路にダイオード２０が挿入され、トリガ入力端子１８の＋端子からリレーコイル１２Ｂの＋端子に至る経路にダイオード２１が挿入されている。ダイオード２０は、トリガ入力端子１８から入力されたリレー駆動電圧が制御部１６に回り込まないように規制するものである。ダイオード２１は、制御部１６の出力したリレー駆動電圧がトリガ入力端子１８に回り込まないように規制するものである。
【００２６】
上述したように、本実施形態の電源回路を内蔵する電子機器は、他の電子機器と組み合わせて使用されるものである。組み合わされる電子機器のうち少なくとも１台がマスタとして動作し、他の機器がスレーブとして動作する。
【００２７】
図３は、図２に示した電源回路を内蔵した電子機器Ａ，Ｂ，Ｃを接続した電子機器システムの例を示す図である。このうち電子機器Ａが、モード切換スイッチ１３がオンされており、マスタとして動作する。他の電子機器Ｂ，Ｃは、モード切換スイッチ１３がオフされており、スレーブとして動作する。マスタである電子機器Ａのトリガ出力端子（Ｐｏｗｅｒ  Ｔｒｉｇｇｅｒ  Ｏｕｔ）１７がスレーブである電子機器Ｂのトリガ入力端子（Ｐｏｗｅｒ  Ｔｒｉｇｇｅｒ  Ｉｎ）１８に接続され、電子機器Ｂのトリガスルー端子（Ｐｏｗｅｒ  Ｔｒｉｇｇｅｒ  Ｔｈｒｏｕｇｈ）１９がもう１台のスレーブである電子機器Ｃのトリガ入力端子（Ｐｏｗｅｒ  Ｔｒｉｇｇｅｒ  Ｉｎ）１８に接続されている。
【００２８】
この接続形態で電子機器Ａの制御部１６に対して電源オンコマンドが入力されると、制御部１６は、リレー駆動電源回路を起動してリレー駆動電圧を発生する。この駆動電圧は自装置（電子機器Ａ）のリレーコイル１２Ｂに供給されて電子機器Ａ（負荷回路）の電源をオンするとともに、トリガ出力端子１７を介して外部出力される。外部出力されたリレー駆動電圧は、電子機器Ｂのトリガ入力端子１８に入力され、さらに、電子機器Ｂのトリガスルー端子１９から再出力されて電子機器Ｃのトリガ入力端子１８に入力される。
【００２９】
電子機器Ｂではトリガ入力端子１８に入力されたリレー駆動電圧がリレーコイル１２Ｂに供給されて電子機器Ｂ（負荷回路）の電源をオンする。電子機器Ｃにおいても同様に、トリガ入力端子１８に入力されたリレー駆動電圧がリレーコイル１２Ｂに供給されて電子機器Ｃ（負荷回路）の電源をオンする。
【００３０】
なお、図３の実施形態では、１台のマスタ機器に２台のスレーブ機器を接続しているが、スレーブ機器の台数は２台に限定されない。また、図３では、下流のスレーブ機器が上流のスレーブ機器のトリガスルー端子に接続されるデイジーチェーン接続となっているが、マスタ機器に複数のスレーブ機器を直接（並列に）接続する形態にしてもよい。その場合にはマスタ機器にトリガ出力端子１７を複数設けるかトリガ出力端子１７からの配線を分岐させればよい。
【００３１】
図４は、図２の電源回路にメイントランス１５から制御部１６に電源を供給する経路を付加した電源回路の構成図である。この図において、図２の電源回路と同一構成の部分は同一番号を付して説明を省略する。
【００３２】
この図の電源回路では、メイントランス１５のホット側とサブトランス１４のホット側がダイオード２４を介して接続されている。ダイオード２４はメイントランス１５側からサブトランス１４側に向けて順方向に挿入されている。また、モード切換スイッチ１３が、図２の電源回路と同様に、プラグ１０とサブトランス１４との間に挿入されたスイッチ１３Ａ、および、制御部１６とダイオード２０（リレーコイル１２Ｂ）との間に挿入されたスイッチ１３Ｂの２つのスイッチが連動する２連スイッチで構成されている。すなわち、スイッチ１３の切り換えでスレーブモードが選択されたとき、電源プラグ１０とサブトランス１４との間が遮断されるとともに、制御部１６とリレーコイル１２Ｂとの間も遮断される。
【００３３】
以上の構成でも、図２の構成と同様に、スレーブモード時にはサブトランス１４に電流が流れないため、制御部１６が常時動作することはない。しかし、トリガ入力端子１８からマスタ機器のリレー駆動電圧が入力されることによりメイントランス１５が通電されると、ダイオード２４を介して制御部１６に電力が供給され、負荷回路のオンと並行して制御部１６もオンする。これにより、スレーブモードであっても、メイントランス１５が通電されて装置が動作するとき、制御部１６によるコマンド（たとえばボリウム制御コマンド等）の受信が可能になる。この場合でも、制御部１６が出力するリレー駆動電圧はスイッチ１３Ｂがオフしていることによりリレーコイル１２Ｂに供給されないため、外部機器からのリレー駆動電圧が停止したときこの機器の電源もオフされ、スレーブ機器として動作する。
【００３４】
また、制御部１６がオンすることにより、このスレーブ機器のトリガ出力端子１７にリレー駆動電圧が現れるため、上位のスレーブ機器のトリガ出力端子１７を下位のスレーブ機器のトリガ入力端子１８に接続するデイジーチェーン接続が可能になる。なお、この場合には、トリガスルー端子１９は不要である。
【００３５】
図５は、この発明の電源回路の他の実施形態を示す図である。図２に示した電源回路と同一構成の部分は同一番号を付して説明を省略する。なお、メイントランス１５′は中間タップ付きの二次側コイルを有し、整流回路２２′は全波整流のダイオードブリッジおよび±１２Ｖ、±５Ｖの定電圧レギュレータを有する構成になっているが、基本的な動作は図２に示したメイントランス１５、整流回路２２′と同様である。また、サブトランス１４に接続されている整流回路２３′も全波整流のダイオードブリッジおよび＋１２Ｖ、＋５Ｖの定電圧レギュレータを有する構成になっているが、基本的な動作は図２に示した整流回路２３と同様である。
以下、図５の電源回路において、図２に示した電源回路と相違する箇所について説明する。
【００３６】
メイントランス１５のホット側とサブトランス１４の整流回路２３のホット側がダイオード２４（２４Ａ，２４Ｂ）を介して接続されている。ダイオード２４はメイントランス１５側からサブトランス１４側に向けて順方向に挿入されている。
【００３７】
この構成により、図２の構成と同様に、スレーブモード時にはサブトランス１４に電流が流れないため、制御部１６が常時動作することはない。しかし、マスタ機器からリレー駆動電圧が入力されることによりメイントランス１５が通電されると、ダイオード２４を介して制御部１６に電力が供給され、負荷回路のオンと並行して制御部１６もオンする。これにより、スレーブモードであっても、メイントランス１５が通電されて装置が動作するとき、制御部１６によるコマンド（たとえばボリウム制御コマンド等）の受信が可能になる。
【００３８】
制御部１６とダイオード２０（リレーコイル１２Ｂ）との間にトリガスイッチ３１が設けられるとともに、サブトランス１５に給電され且つトリガ入力端子１８からリレー駆動電圧が入力されていないときにトリガスイッチ３１をオンするトリガスイッチ制御回路３２が設けられている。
【００３９】
スレーブモード時に他の機器からリレー駆動電圧が供給されてメイントランス１５がオンした場合、上記ダイオード２４の接続により制御部１６がオンするが、スレーブモードでトリガ入力端子１８からリレー駆動電圧が入力されているため、トリガスイッチ制御回路３２の動作によりトリガスイッチ３１はオンされない。これにより、制御部１６からリレーコイル１２Ｂにリレー駆動電圧が供給されないため、外部機器からのリレー駆動電圧が停止したときこの機器の電源もオフされ、スレーブ機器として動作する。
【００４０】
トリガ出力端子１７がメイントランス１５の二次側に設けられている。メイントランス１５、整流回路２２の電流容量は、サブトランス１４、整流回路２３の電流容量よりも大きいため、この構成にすることにより、下流に複数のスレーブ機器が並列に接続されるという接続形態になっても、十分なリレー駆動電圧を供給することができる。
【００４１】
制御部１６は、負荷回路を含む装置の動作を監視し、異常を発見したときリレー駆動電圧の出力を停止するとともに、トリガ禁止信号（Ｔｒｉｇｇｅｒ  Ｉｎｈｉｂｉｔ）を出力する。また、トリガ入力端子１８とダイオード２１（リレーコイル１２Ｂ）との間に外部トリガスイッチ回路４０が挿入されるとともに、トリガ禁止信号が入力されると外部トリガスイッチ回路４０をオフし、このオフ状態を保持する外部トリガ制御回路４１が設けられている。これら外部トリガスイッチ回路４０および外部トリガ制御回路４１が、この発明の外部トリガ制御部に対応する。
【００４２】
外部トリガスイッチ回路４０は、トリガ入力端子１８にエミッタが接続され、ダイオード２２にコレクタが接続されたｐｎｐトランジスタであるスイッチングトランジスタ５０、トリガ入力端子１８の電位を分圧してトランジスタ５０のベースに供給する抵抗５１、５２、および、抵抗５１に並列に接続されたスイッチ回路５３を有している。スイッチ回路５３は、ベース・エミッタ間にバイアス抵抗、ベース端子に分圧抵抗が接続されたｐｎｐトランジスタからなっており、ベース電位が低下するとオンし、抵抗５１を短絡する。
【００４３】
外部トリガ制御回路４１は、トリガ禁止信号を受けてオンするスイッチ回路４２、スイッチ回路４２がオンすることによってオンし、スイッチ回路４２のオンを保持する第２のスイッチ回路４３を有している。スイッチ回路４２は、ベース・エミッタ間にバイアス抵抗、ベース端子に分圧抵抗が接続されたｎｐｎトランジスタからなっており、ベース電位が上昇するとコレクタ・エミッタ間が導通する。第２のスイッチ回路４３は、ベース・エミッタ間にバイアス抵抗、ベース端子に分圧抵抗が接続されたｐｎｐトランジスタからなっており、ベース電位が低下するとオンし、トリガ入力端子１８の電位をスイッチ回路４２の分圧抵抗に印加する。
【００４４】
スイッチ回路４２のベースには制御部１６のトリガ禁止信号端子、および、スイッチ回路４３のコレクタが接続されている。また、スイッチ回路４２のｎｐｎトランジスタは、エミッタが接地されるとともに、コレクタはスイッチ回路５３、スイッチ回路４３のベースに共通に接続されている。
【００４５】
初期状態ではスイッチ回路４２はオフしているため、スイッチ回路４３、５３は、ベース・エミッタ間が同電位でありオフしている。このときにトリガ入力端子１８からリレー駆動電圧が供給されると、外部トリガスイッチ４０のスイッチングトランジスタ５０のベースには、分圧抵抗５１、５２で分圧された電位が印加されてオンし、トリガ入力端子１８のリレー駆動電圧は、ダイオード２２を介してリレーコイル１２Ｂに供給される。
【００４６】
この状態で、制御部１６がトリガ禁止信号を発生すると、このトリガ禁止信号がスイッチ回路４２のベースに印加され、スイッチ回路４２がオンする。スイッチ回路４２がオンすると、スイッチ回路４３、５３のｐｎｐトランジスタのベースは、分圧抵抗を介して接地され、ベース電位がエミッタ電位よりも低くなるためオンする。
【００４７】
スイッチ回路５３のオンにより、分圧抵抗５１が短絡され、スイッチングトランジスタ５０のベース電位がエミッタ電位とほぼ同電位となるため、スイッチングトランジスタ５０がオフし、トリガ入力端子１８のリレー駆動電圧がリレーコイル１２Ｂに供給されなくなり、リレー接点１２Ａが開放してメイントランス１５および負荷回路がオフされる。
【００４８】
また、スイッチ回路４３がオンすると、スイッチ回路４２のｐｎｐトランジスタのベースには、スイッチ回路４３−分圧抵抗を介してトリガ入力端子１８のリレー駆動電圧が印加されるため、スイッチ回路４２はオンを維持する。これにより、制御部１６のトリガ禁止信号が一旦発生すると、その後トリガ禁止信号が停止しても、トリガ入力端子１８にリレー駆動電圧が供給されているかぎりスイッチ回路４２、４３、５３はオンを維持し、リレー駆動電圧がリレーコイル１２Ｂに供給されて負荷回路がオンすることはない。
【００４９】
リレー駆動電圧の供給が停止されると、外部トリガスイッチ４０、外部トリガ制御回路４１の状態は初期状態に復帰する。
【００５０】
なお、トリガスイッチ３１およびトリガ制御回路３２は、モード切換スイッチ１３と連動する手動スイッチであってもよい。この場合、交流１００Ｖの商用電圧と直流１２Ｖの二次側電圧のアイソレートを確実に取る必要がある。
【００５１】
なお、この実施形態では、制御部１６は、負荷回路の過電流や異常温度上昇等を検知してトリガ禁止信号を発生するが、これ以外の要因（たとえばコマンド入力等）に基づいてトリガ禁止信号を発生するようにしてもよい。
【図面の簡単な説明】
【００５２】
【図１】従来の電源回路の例を示す図
【図２】この発明の実施形態である電源回路の構成を示す図
【図３】上記実施形態の電源回路を内蔵した電子機器を含むシステムの構成を示す図
【図４】この発明の他の実施形態である電源回路の構成を示す図
【図５】この発明のさらに他の実施形態である電源回路の構成を示す図
【符号の説明】
【００５３】
１２…一次リレー
１２Ａ…リレー接点（常開接点）
１２Ｂ…リレーコイル
１３…モード切換スイッチ
１７…トリガ出力端子（Ｐｏｗｅｒ  Ｔｒｉｇｇｅｒ  Ｏｕｔ）
１８…トリガ入力端子（Ｐｏｗｅｒ  Ｔｒｉｇｇｅｒ  Ｉｎ）
１９…トリガスルー端子（Ｐｏｗｅｒ  Ｔｒｉｇｇｅｒ  Ｔｈｒｏｕｇｈ）
【図１】
2010154711.tif 000003
【図２】
2010154711.tif 000004
【図３】
2010154711.tif 000005
【図４】
2010154711.tif 000006
【図５】
2010154711.tif 000007